(57)【要約】【課題】  畜舎、トイレット等の建造物内の空間のエアーを清浄化できるエアークリーナー、および、隔離空間を作る固定または移動できる構造物内のエアーを殺菌できる隔離装置を提供する。【解決手段】  エアークリーナー１は、所定空間Ｓ１のエアーを吸気するエアー吸気口１１と、エアー吸気口を始端とする導入通路１２と、導入通路から分岐した戻し通路１３１，排出通路１３２と、導入通路が分岐する部位等に設けられファン１４と、戻し通路にオゾンを供給する第１のオゾン供給装置１５１と、排出通路にオゾンを供給する第２のオゾン供給装置１５２と、排出通路の前記オゾンが供給される部位よりも後段に設けられ、通過するエアーからオゾンを除去するオゾン除去器１６と、戻し通路の終端に設けられ、空間Ｓ１に開放したエアー戻し口１７１と、排出通路の終端に設けられ、空間Ｓ２に開放したエアー排出口１７２とを備える。【選択図】    図１
2006110460.tif 000002
【特許請求の範囲】
【請求項１】
所定空間からエアーを吸気し、その全部を前記所定空間に戻し、またはその一部を前記所定空間に戻し残りを前記所定空間とは異なる空間に排出するエアークリーナーであって、
前記所定空間のエアーを吸気するエアー吸気口と、
前記エアー吸気口を始端とする導入通路と、
前記導入通路から２通路に分岐した通路の一方である戻し通路と、
前記導入通路から前記２通路に分岐した通路の他方である排出通路と、
前記エアー吸気口、前記導入通路上または前記導入通路が分岐する部位に設けられ、前記所定空間から前記導入通路内にエアーを導入すると共に、前記エアーを前記戻し通路と前記排出通路とに送るファンと、
前記戻し通路にオゾンを供給する第１のオゾン供給装置と、
前記排出通路にオゾンを供給する第２のオゾン供給装置と、
前記排出通路の前記オゾンが供給される部位よりも後段に設けられ、通過するエアーからオゾンを除去するオゾン除去器と、
前記戻し通路の終端に設けられ、前記所定空間に開放したエアー戻し口と、
前記排出通路の終端に設けられ、前記所定空間とは異なる空間に開放したエアー排出口と、
を備えたことを特徴とするエアークリーナー。
【請求項２】
所定空間からエアーを吸気し、その全部を前記所定空間に戻し、またはその一部を前記所定空間に戻し残りを前記所定空間とは異なる空間に排出するエアークリーナーであって、
前記所定空間のエアーを吸気するエアー吸気口と、
前記エアー吸気口を始端とする導入通路と、
前記導入通路から２通路に分岐した通路の一方である戻し通路と、
前記導入通路から前記２通路に分岐した通路の他方である排出通路と、
前記戻し通路上またはその終端に設けられた前記前記戻し通路内のエアーを前記所定空間に戻す第１のファンと、
前記排出通路上またはその終端に設けられた前記排出通路内のエアーを前記所定空間とは異なる空間に排出する第２のファンと、
前記戻し通路にオゾンを供給する第１のオゾン供給装置と、
前記排出通路にオゾンを供給する第２のオゾン供給装置と、
前記排出通路の前記オゾンが供給される部位よりも後段に設けられ、通過するエアーからオゾンを除去するオゾン除去器と、
前記戻し通路の終端に設けられ、前記所定空間に開放したエアー戻し口と、
前記排出通路の終端に設けられ、前記所定空間とは異なる空間に開放したエアー排出口と、
を備えたことを特徴とするエアークリーナー。
【請求項３】
前記戻し通路の前記オゾンが供給される部位よりも後段に設けられ、通過するエアーからオゾンを除去するオゾン除去器を備えたことを特徴とする請求項１または２に記載のエアークリーナー。
【請求項４】
隔離空間を作る構造物と、エアークリーナーとを備えた隔離装置であって、
前記構造物は、外部空間から外気を取り入れる外気取り入れ口を備え、
前記エアークリーナーは、
前記隔離空間のエアーを吸気するエアー吸気口と、
前記エアー吸気口を始端とする導入通路と、
前記導入通路から２通路に分岐した通路の一方である戻し通路と、
前記導入通路から前記２通路に分岐した通路の他方である排出通路と、
前記エアー吸気口、前記導入通路上または前記導入通路が分岐する部位に設けられ、前記所定空間から前記導入通路内にエアーを導入すると共に、前記エアーを前記戻し通路と前記排出通路とに送るファンと、
前記戻し通路にオゾンを供給する第１のオゾン供給装置と、
前記排出通路にオゾンを供給する第２のオゾン供給装置と、
前記排出通路の前記オゾンが供給される部位よりも後段に設けられ、通過するエアーからオゾンを除去するオゾン除去器と、
前記戻し通路の終端に設けられ、前記隔離空間に開放したエアー戻し口と、
前記排出通路の終端に設けられ、前記外部空間に開放したエアー排出口と、
を備えたことを特徴とする隔離装置。
【請求項５】
隔離空間を作る構造物と、エアークリーナーとを備えた隔離装置であって、
前記構造物は、外部空間から外気を取り入れる外気取り入れ口を備え、
前記エアークリーナーは、
前記隔離空間のエアーを吸気するエアー吸気口と、
前記エアー吸気口を始端とする導入通路と、
前記導入通路から２通路に分岐した通路の一方である戻し通路と、
前記導入通路から前記２通路に分岐した通路の他方である排出通路と、
前記戻し通路上またはその終端に設けられた前記前記戻し通路内のエアーを前記所定空間に戻す第１のファンと、
前記排出通路上またはその終端に設けられた前記排出通路内のエアーを前記所定空間とは異なる空間に排出する第２のファンと、
前記戻し通路にオゾンを供給する第１のオゾン供給装置と、
前記排出通路にオゾンを供給する第２のオゾン供給装置と、
前記排出通路の前記オゾンが供給される部位よりも後段に設けられ、通過するエアーからオゾンを除去するオゾン除去器と、
前記戻し通路の終端に設けられ、前記隔離空間に開放したエアー戻し口と、
前記排出通路の終端に設けられ、前記外部空間に開放したエアー排出口と、
を備えたことを特徴とする隔離装置。
【請求項６】
前記エアークリーナーは、前記戻し通路の前記オゾンが供給される部位よりも後段に設けられ、通過するエアーからオゾンを除去するオゾン除去器を備えたことを特徴とする請求項４または５に記載の隔離装置。
【請求項７】
前記構造物は、患者を収容して移動するテント付きベッドまたはカプセルであることを特徴とする請求項４から７の何れかに記載の隔離装置。
【発明の詳細な説明】
【技術分野】
【０００１】
本発明は、畜舎、トイレット等の建造物内の空間のエアーを清浄化できるエアークリーナー、および、隔離空間を作る固定または移動できる構造物内のエアーを殺菌できる隔離装置に関する。
【背景技術】
【０００２】
例えば、伝染病患者等を搬送する場合には、当該患者を密着ファスナーで封止できる収容袋に収容し、緊急自動車に乗せて他の場所に移し、あるいは移動式ベッド（ストレッチャー）に乗せて他の場所に移している。
ところが、この搬送方法では、伝染病患者等に精神的・肉体的な負担を強いることになり、また病原菌等の外部への漏出を完全に防止することができない。
このような不都合を解消するために、伝染病患者等の搬送に、テント付き移動式ベッドや移動式カプセルが用いられることがある。この場合、患者が収容される空間から外部空間への病原菌の漏出を防止することが要求される。この要求に応えるべく、伝染病患者等が収容される空間を負圧状態にして、外部空間への病原菌の漏出を防止する隔離技術も知られている（特許文献１参照）。
この種の隔離技術では、テント内やカプセル内の負圧状態を実現するために、排気装置によりテント内のエアーを適量大気に排気する一方、この排気したエアー量に相当する量のエアーを外部空間からテント内やカプセル内に補充している。
【特許文献１】特開平１１−２９０３８３号
【発明の開示】
【発明が解決しようとする課題】
【０００３】
上記の隔離技術では、テント内やカプセル内を負圧状態とすることを目的としているが、テント内やカプセル内の病原菌の量を減らすことは想定されていない。
【０００４】
もちろん排気装置により大量のエアーを排気し、排気したエアー量に相当する大量のエアーを外部空間からテント内やカプセル内に補充すれば、テント内やカプセル内の病原菌の数を減少させることができるが、エアー補充による騒音が生じたり、周囲エアーに乱れが生じたりする等、伝染病患者等にとって好ましくない。
【０００５】
一方、排気装置により排気した病原菌等を含むエアーは、オゾンを使用して殺菌することができる。ところが、殺菌されたエアーには、オゾンが残存しており、これを大気にそのまま放出することは環境面から好ましくない。このため、殺菌されたエアーからオゾンを除去した後に、テント外やカプセル外に放出している。このため、せっかく清浄化したエアーを有効利用しているとは言えない。
【０００６】
なお、畜舎（厩舎、牛舎、豚舎、鶏舎等）では、畜舎内に臭気がこもるため、伝染病等の防止、居住性の向上等の理由から、畜舎は適宜換気の必要がある。
しかし、畜舎内のエアーをそのまま換気すると、周囲に悪臭が漂うことがある。この場合、畜舎内のエアーをオゾンにより消臭し、外気に放出することができるが、畜舎内の臭気を除去するには高濃度のオゾンが必要となる。このオゾンを含むエアーを外気にそのまま排出することは環境上好ましくない。
【０００７】
本発明は、畜舎、トイレット等の建造物内の空間のエアーを清浄化できるエアークリーナー、および、隔離空間を作る固定または移動可能な構造物内のエアーを効率よく殺菌できる隔離装置を提供することにある。
【課題を解決するための手段】
【０００８】
本発明のエアークリーナーは、所定空間からエアーを吸気し、その全部を前記所定空間に戻し、またはその一部を前記所定空間に戻し残りを前記所定空間とは異なる空間に排出するものであって、前記所定空間のエアーを吸気するエアー吸気口と、前記エアー吸気口を始端とする導入通路と、前記導入通路から２通路に分岐した通路の一方である戻し通路と、前記導入通路から前記２通路に分岐した通路の他方である排出通路と、前記エアー吸気口、前記導入通路上または前記導入通路が分岐する部位に設けられ、前記所定空間から前記導入通路内にエアーを導入すると共に、前記エアーを前記戻し通路と前記排出通路とに送るファンと、前記戻し通路にオゾンを供給する第１のオゾン供給装置と、前記排出通路にオゾンを供給する第２のオゾン供給装置と、前記排出通路の前記オゾンが供給される部位よりも後段に設けた通過するエアーからオゾンを除去するオゾン除去器と、前記戻し通路の終端に設けられ、前記所定空間に開放したエアー戻し口と、前記排出通路の終端に設けられ、前記所定空間とは異なる空間に開放したエアー排出口とを備えたことを特徴とする。
【０００９】
また、本発明のエアークリーナーは、所定空間からエアーを吸気し、その全部を前記所定空間に戻し、またはその一部を前記所定空間に戻し残りを前記所定空間とは異なる空間に排出するものであって、前記所定空間のエアーを吸気するエアー吸気口と、前記エアー吸気口を始端とする導入通路と、前記導入通路から２通路に分岐した通路の一方である戻し通路と、前記導入通路から前記２通路に分岐した通路の他方である排出通路と、前記戻し通路上またはその終端に設けられた前記前記戻し通路内のエアーを前記所定空間に戻す第１のファンと、前記排出通路上またはその終端に設けられた前記排出通路内のエアーを前記所定空間とは異なる空間に排出する第２のファンと、前記戻し通路にオゾンを供給する第１のオゾン供給装置と、前記排出通路にオゾンを供給する第２のオゾン供給装置と、前記排出通路の前記オゾンが供給される部位よりも後段に設けた通過するエアーからオゾンを除去するオゾン除去器と、前記戻し通路の終端に設けられ、前記所定空間に開放したエアー戻し口と、前記排出通路の終端に設けられ、前記所定空間とは異なる空間に開放したエアー排出口とを備えたことを特徴とする。
【００１０】
本発明のエアークリーナーでは、前記戻し通路の前記オゾンが供給される部位よりも後段に設けた通過するエアーからオゾンを除去するオゾン除去器を備えることができる。
【００１１】
本発明の隔離装置は、隔離空間を作る構造物と、エアークリーナーとを備えた隔離装置であって、前記構造物は、外部空間から外気を取り入れる外気取り入れ口を備え、前記エアークリーナーは、前記隔離空間のエアーを吸気するエアー吸気口と、前記エアー吸気口を始端とする導入通路と、前記導入通路から２通路に分岐した通路の一方である戻し通路と、前記導入通路から前記２通路に分岐した通路の他方である排出通路と、前記エアー吸気口、前記導入通路上または前記導入通路が分岐する部位に設けられ、前記隔離空間から前記導入通路内にエアーを導入すると共に、前記エアーを前記戻し通路と前記排出通路とに送るファンと、前記戻し通路にオゾンを供給する第１のオゾン供給装置と、前記排出通路にオゾンを供給する第２のオゾン供給装置と、前記排出通路の前記オゾンが供給される部位よりも後段に設けた通過するエアーからオゾンを除去するオゾン除去器と、前記戻し通路の終端に設けられ、前記隔離空間に開放したエアー戻し口と、前記排出通路の終端に設けられ、前記外部空間に開放したエアー排出口とを備えたことを備えたことを特徴とする。
【００１２】
本発明の隔離装置は、隔離空間を作る構造物と、エアークリーナーとを備えたものであって、前記構造物は、外部空間から外気を取り入れる外気取り入れ口を備え、前記エアークリーナーは、前記隔離空間のエアーを吸気するエアー吸気口と、前記エアー吸気口を始端とする導入通路と、前記導入通路から２通路に分岐した通路の一方である戻し通路と、前記導入通路から前記２通路に分岐した通路の他方である排出通路と、前記戻し通路上またはその終端に設けられた前記前記戻し通路内のエアーを前記所定空間に戻す第１のファンと、前記排出通路上またはその終端に設けられた前記排出通路内のエアーを前記所定空間とは異なる空間に排出する第２のファンと、前記戻し通路にオゾンを供給する第１のオゾン供給装置と、前記排出通路にオゾンを供給する第２のオゾン供給装置と、前記排出通路の前記オゾンが供給される部位よりも後段に設けた通過するエアーからオゾンを除去するオゾン除去器と、前記戻し通路の終端に設けられ、前記隔離空間に開放したエアー戻し口と、前記排出通路の終端に設けられ、前記外部空間に開放したエアー排出口とをことを備えたことを特徴とする。
【００１３】
本発明の隔離装置では、前記エアークリーナーは、前記戻し通路の前記オゾンが供給される部位よりも後段に設けた通過するエアーからオゾンを除去するオゾン除去器を備えることができる。
【００１４】
本発明の隔離装置では、前記構造物を、患者を収容して移動するテント付きベッドまたはカプセルとすることができる。
【発明の効果】
【００１５】
本発明のエアークリーナーは、所定空間のエアーを吸気し、部屋内を適度な負圧にすることができ、この吸気したエアーをオゾンと反応させ、当該オゾンと反応させたエアーの一部を前記所定空間に戻し、残りをオゾンを除去した後に前記所定空間とは異なる空間に放出することができる。これにより、本発明のエアークリーナーは、畜舎、トイレット等における臭気を外部に漏らさずに、オゾンにより除去または低減することができ、また、救急車、病院施設（病院の手術室、診察室、検査室、分娩室、検査装置等）等の内部空間内における雑菌を外部に漏らさずに、オゾンにより除去または低減することができる。しかも、本発明のエアークリーナーでは、オゾンが外気に放出されることもなく、環境に悪影響を与える（人体に悪悪影響を与える）こともない。
【００１６】
本発明の隔離装置は、隔離空間を構成する固定のまたは移動する構造物（患者を収容して移動するテント付きベッドまたはカプセル、車両等）内のエアーを吸気し、隔離空間内を適度な負圧にすることができる。そして、この吸気したエアーをオゾンと反応させ、当該オゾンと反応させたエアーの一部を前記隔離空間に戻し、残りをオゾンを除去した後に前記外部空間に放出することができる。これにより、本発明の隔離装置は、伝染病患者等が収容されるテント付きベッドのテント内のエアー中の菌、伝染病患者等が収容されるカプセル内のエアー中の菌、緊急自動車内のエアー中の菌等を外部に漏らさずに、オゾンにより殺菌することができできる。しかも、本発明の隔離装置では、オゾンが外気に放出されることもなく、環境に悪影響を与える（人体に悪悪影響を与える）こともない。
【００１７】
さらに本発明の隔離装置では、ファン出力を調整したり、隔離空間を作る構造物に設けた外気取り入れ口の開口度を調製することにより、部屋内を適度な負圧にすることができるので、部屋への過度なエアーの補充による騒音やエアーの乱れは生じない。
従来、隔離空間を負圧にする場合には、外部空間から部屋内にエアーを補充しているが、外部空間のエアーが必ずしも清浄でない場合がある。本発明では、清浄化されたエアーの一部は、部屋に戻される（戻された分、外部空間のクリーンでないエアーを室内に補充する必要はない）ので、清浄となったエアーの有効利用が図られる。
【発明を実施するための最良の形態】
【００１８】
図１から図３により本発明のエアークリーナーの実施形態を説明する。
エアークリーナー１は、図１には示されていない空間Ｓ１からエアーＡを吸気し、その全部を空間Ｓ１に戻し、またはその一部を空間Ｓ１に戻し残りを図１には図示されていない空間Ｓ１とは異なる空間（例えば、外気）Ｓ２に排出するもので、エアー吸気口１１と、導入通路１２と、戻し通路１３１と、排出通路１３２と、ファン１４と、第１のオゾン供給装置１５１と、第２のオゾン供給装置１５２と、オゾン除去器１６と、エアー戻し口１７１と、エアー排出口１７２とを備えている。
【００１９】
空間Ｓ１は、エアーをクリーンにする対象となる空間であり、例えば、畜舎、救急車、トイレット、病院施設（病院の手術室、診察室、検査室、分娩室、検査装置等）等である。空間Ｓ２は、例えば、通常、大気空間である。
【００２０】
エアー吸気口１１は、空間Ｓ１のエアーＡを吸気することができる。
導入通路１２は、エアー吸気口１１を始端として構成され、２通路に分岐する。
戻し通路１３１は、導入通路１２の２通路に分岐した通路の一方であり、排出通路１３２は、導入通路１２の２通路に分岐した通路の他方である。
ファン１４は、エアー吸気口１１、導入通路１２上または導入通路１２が分岐する部位に設けられ、空間Ｓ１から導入通路１２内にエアーを導入すると共に、エアーを戻し通路１３１と排出通路１３２とに送る。
【００２１】
第１のオゾン供給装置１５１は、戻し通路１３１にオゾンを供給することができ、第２のオゾン供給装置１５２は、排出通路１３２にオゾンを供給することができる。第１のオゾン供給装置１５１は、第１のオゾン発生器１５１１とエアーポンプＡＰとを有し、第２のオゾン供給装置１５２は、第２のオゾン発生器１５２１とエアーポンプＡＰとを有する。エアーポンプＡＰは、第１のオゾン供給装置１５１と第２のオゾン供給装置１５２とで共通に使用される。本実施形態では、第１のオゾン発生器１５１１の出力は、第２のオゾン発生器１５２１の出力よりも小さく設定されている。例えば、通常、第１のオゾン発生器１５２１の出力は微弱に設定することができる。
【００２２】
戻し通路１３１のオゾン供給部より後段部分がオゾン反応室となる。このオゾン反応室には流量調節弁１８１が設けられるとともに、その後段にフィルタ１９１が設けられている。
【００２３】
排出通路１３２のオゾン供給部より後段部分をオゾン反応室となる。このオゾン反応室には流量調節弁１８２が設けられるとともに、その後段にフィルタ１９２が設けられている。
【００２４】
フィルタ１９１，１９２として、たとえば、ＨＥＰＡ（Ｈｉｇｈ  Ｅｆｆｉｃｉｅｎｃｙ  Ｐａｒｔｉｃｕｌａｔｅ  Ａｉｒ）フィルタ、ＵＬＰＡ（Ｕｌｔｒａ  Ｌｏｗ  Ｐｅｎｅｔｒａｔｉｏｎ  Ａｉｒ）を用いることができる。このフィルタ１９１，１９２により、エアーに含まれる菌がろ過される。フィルタ１９１にろ過された菌は、第１のオゾン供給装置１５１から供給されたオゾンにより死滅し、フィルタ１９２によりろ過された菌は、第２のオゾン供給装置１５２から供給されたオゾンにより死滅する。
【００２５】
オゾン除去器１６は、排出通路１３２のオゾンが供給される部位よりも後段に設けられ、通過するエアーからオゾンを除去することができる。オゾン除去器１６として、ハニカム活性炭等の触媒を用いることができる。本実施形態では、フィルタ１９２が設けられているので、オゾン除去器１６は当該フィルタ１９２の後段に設けられる。オゾン除去器１６により、空間Ｓ２に排出されるエアーＡ２が環境に悪影響を与える（人体に悪悪影響を与える）ことはない。なお、後述するが、戻し通路１３１のオゾンが供給される部位よりも後段に、通過するエアーからオゾンを除去するオゾン除去器を備えることもできる。
【００２６】
エアー戻し口１７１は、戻し通路１３１の終端に設けられ、空間Ｓ１に開放し、エアー排出口１７２は、排出通路１３２の終端に設けられ、空間Ｓ１とは異なる空間Ｓ２に開放している。
【００２７】
図１のエアークリーナー１では、空間Ｓ１にはオゾンが含まれるエアーＡ１が供給され、空間Ｓ１内のエアーは、消臭されまたは殺菌される。なお、第１のオゾン発生器１５１１の出力を大きくした場合には、フィルタ１９１の後段に、オゾン除去器１５と同様のオゾン除去器を設けることができる。
【００２８】
図２は、図１のエアークリーナー１のファン１４の代わりに、２つのファンを備えた例を示している。第１のファン１４１は、戻し通路１３１の終端に設けてあるが、戻し通路１３１上の適宜個所に設けることもできる。また、第２のファン１４２は、排出通路１３２の終端に設けてあるが、排出通路１３２上の適宜個所に設けることもできる。図２のエアークリーナー１では、第１のファン１４１、第２のファン１４２の出力を調整することができるので、流量調節弁１８１、流量調節弁１８２の双方または一方を省くことができる。
【００２９】
図３に、畜舎２にエアークリーナー１を設置した例を示す。エアークリーナー１により、畜舎内空間（エアークリーナー１の対象となる空間）Ｓ１のエアーは清浄化されオゾンが除去されたエアーは空間（例えば、大気）Ｓ２に排出され、オゾンを含むエアーは畜舎内空間Ｓ１に供給され、脱臭、殺菌等が行われる。このとき、空間Ｓ２に排出されたエアー量に相当するエアー（隙間より侵入するエアー）Bが空間Ｓ１に供給される。
【００３０】
図４および図５により、本発明の隔離装置の実施形態を説明する。図４において、隔離装置３は、隔離空間（エアークリーナー１の対象となる空間）Ｓ３を作る構造物４と、エアークリーナー５とを備えている。構造物４は、テント４１とベッド４２を含んで構成されており、テント４１には外部空間Ｓ４から隔離空間Ｓ３に外気を取り入れる外気取り入れ口４３を備えている。ベッド４２の下にはエアークリーナー５が設けられている。
【００３１】
エアークリーナー５は、エアー吸気口５１と、導入通路５２と、戻し通路５３１と、排出通路５３２と、ファン５４と、第１のオゾン供給装置５５１と、第２のオゾン供給装置５５２と、オゾン除去器５６と、エアー戻し口５７１と、エアー排出口５７２とを備えている。これらは、図１のエアークリーナー１のエアー吸気口１１と、導入通路１２と、戻し通路１３１と、排出通路１３２と、ファン１４と、第１のオゾン供給装置１５１と、第２のオゾン供給装置１５２と、オゾン除去器１６と、エアー戻し口１７１と、エアー排出口１７２と、機能は同じであるので説明は省略する。また、隔離空間Ｓ３と外部空間Ｓ４とは、図１の空間Ｓ１と空間Ｓ２とに対応する。また、本実施形態の第１のオゾン発生器５５１１、第２のオゾン発生器５５２１、エアーポンプＡＰは、図１の第１のオゾン発生器１５１１、第２のオゾン発生器１５２１、エアーポンプＡＰに対応し、流量調節弁５８１，５８２は図１流量調節弁１８１，１８２に対応し、フィルタ５９１，５９２は図１のフィルタ１９１，１９２に対応する。
【００３２】
図４において、第１のオゾン発生器５５１１の出力を大きくした場合には、オゾン反応室のフィルタ５９２の後段に、オゾン除去器１６と同様のオゾン除去器を設けることができる。
【００３３】
図４では、ファン５４の動作、流量調節弁５８１、流量調節弁５８２の流量調整により、隔離空間Ｓ３に戻されるオゾンを含むエアーＡ１の量を調整でき、したがって隔離空間Ｓ３内の殺菌の程度を調整することができる。また、オゾン除去器５６によるオゾン除去により、大気に放出されるエアーＡ２が環境に悪影響を与える（人体に悪悪影響を与える）ことはない。大気に放出されるエアーＡ２に相当する量のエアーBは外気取り入れ口４３から取り入れられる。
【００３４】
図５は、図４の隔離装置３のエアークリーナー５のファン５４の代わりに、２つのファンを備えた例を示している。第１のファン５４１，第２のファン５４２は、第１実施形態の第１のファン１４１，第２のファン１４２に対応する。図５のエアークリーナー１では、第１のファン５４１、第２のファン５４２の出力を調整することができるので、流量調節弁５８１、流量調節弁５８２の双方または一方を省くことができる。
【００３５】
また、隔離空間Ｓ３内を適度な負圧状態に維持することができ、エアー補充による騒音（外気取り入れ口４３を通過するエアー音）やエアーの乱れ（外気取り入れ口４３からの急激なエアーの流れ込み）を防止できる。
【図面の簡単な説明】
【００３６】
【図１】本発明のエアークリーナーの実施形態の説明図である。
【図２】本発明のエアークリーナーの実施形態の変更例の説明図である。
【図３】本発明のエアークリーナーを畜舎に設置した様子を示す説明図である。
【図４】本発明の隔離装置の実施形態を示す説明図である。
【図５】本発明の隔離装置の実施形態の変更例を示す説明図である。
【符号の説明】
【００３７】
１，５  エアークリーナー
２  畜舎
３  隔離装置
４  構造物
５  エアークリーナー
１４，５４  ファン
１６，５６  オゾン除去器
１１，５１  エアー吸気口
１２，５２  導入通路
４１  テント
４２  ベッド
４３  外気取り入れ口
１３１，５３１  戻し通路
１３２，５３２  排出通路
１４１，５４１  第１のファン
１４２，５４２  第１のファン
１５１，５５１  第１のオゾン供給装置
１５２，５５２  第２のオゾン供給装置
１７１，５７１  エアー戻し口
１７２，５７２  エアー排出口１７２
１８１，１８２，５８１，５８２  流量調節弁
１９１，１９２，５９１，５９２  フィルタ
Ｓ１，Ｓ２  空間
Ｓ３  隔離空間
Ｓ４  外部空間
【図１】
2006110460.tif 000003
【図２】
2006110460.tif 000004
【図３】
2006110460.tif 000005
【図４】
2006110460.tif 000006
【図５】
2006110460.tif 000007